(57)【要約】【課題】電気柵の電線の電圧を遠隔で監視できる電気柵用電圧測定装置を提供する。【解決手段】電気柵用電圧測定装置１は、一般的な電気柵の柵線に導電性を有する接続線１２を介して通電可能に接続される。電気柵用電圧測定装置１は、柵線に印加された電圧を測定可能な電圧測定部２と、基準電圧を設定及び変更可能なツマミ部３Ａを有する基準電圧設定部３と、測定電圧と基準電圧とを対比可能な電圧対比部４と、基準以下回数が例えば１０回連続した場合に、柵線に印加された電圧が異常な状態であると判定可能であり、かつ、基準超過回数が例えば１５回連続した場合に、柵線に印加された電圧が正常な状態であると判定可能な判定部６と、異常判定結果または正常判定結果を、通信アンテナ７Ａを介して送信可能な判定結果送信部７と、異常判定の場合に点滅する点検ランプ８とを備える。【選択図】図１
0003218911.tif 000002
【実用新案登録請求の範囲】
【請求項１】
電気柵の電線に印加された電圧を測定可能な電圧測定部と、
判定の基準となる電圧である基準電圧を設定可能な基準電圧設定部と、
前記電圧測定部が前記電線に印加された電圧を測定して得られた測定電圧と、前記基準電圧設定部が設定した前記基準電圧とを対比可能な電圧対比部と、
該電圧対比部が対比した結果、前記測定電圧が基準電圧以下となった回数である基準以下回数及び同測定電圧が基準電圧を超えた回数である基準超過回数を計測可能な回数計測部と、
該回数計測部が計測した前記基準以下回数が所定の回数連続した場合に、前記電線に印加された電圧が異常な状態であると判定可能であり、かつ、同回数計測部が計測した前記基準超過回数が所定の回数連続した場合に前記電線に印加された電圧が正常な状態であると判定可能な判定部と、
該判定部が、前記電線に印加された電圧が異常な状態であると判定した結果である異常判定結果または、同判定部が、同電線に印加された電圧が正常な状態であると判定した結果である正常判定結果を送信可能な判定結果送信部とを備える
電気柵用電圧測定装置。
【請求項２】
前記判定部が、前記電線に印加された電圧が異常な状態であると判定した場合に同電線に印加された電圧が異常な状態であることを告知可能な異常告知部を備える
請求項１に記載の電気柵用電圧測定装置。
【請求項３】
前記測定電圧を表示可能な測定電圧表示部を備え、
前記基準電圧設定部は、設定した前記基準電圧を表示可能である
請求項１または請求項２に記載の電気柵用電圧測定装置。
【請求項４】
前記電圧測定部と通電可能に接続されており、かつ、平面形状を有しており、かつ、一方の面と一方の面に対向する他方の面との間を貫通した貫通孔が形成されたアース部を備える
請求項１、請求項２または請求項３に記載の電気柵用電圧測定装置。
【請求項５】
所定の時間毎に、前記判定部の判定結果の送信要求を受信可能な判定結果送信要求受信部を備え、
前記判定結果送信部は、前記判定結果送信要求受信部が判定結果の送信要求を受信した場合に、前記異常判定結果または前記正常判定結果を送信可能である
請求項１、請求項２、請求項３または請求項４に記載の電気柵用電圧測定装置。
【考案の詳細な説明】
【技術分野】
【０００１】
本考案は電気柵用電圧測定装置に関する。詳しくは、電気柵の柵線に印加された電圧を測定するための電気柵用電圧測定装置に係るものである。
【背景技術】
【０００２】
イノシシ、鹿、サルなどの野生動物の田畑への侵入を防止するために、田畑の周囲に電気柵が設置されている。
【０００３】
一般的に電気柵は、田畑の周囲に打設された支柱と、支柱に取付けられた碍子に係止されて張設された複数の裸電線すなわち柵線と、柵線に電圧を印加可能な電源装置とを備える。
ここで、複数の柵線は並列配置されており、裸電線からなる上下結線で互いに結線されている。
【０００４】
野生動物が、このような電気柵で囲まれた田畑に侵入しようとして、張設された柵線に接触すると、野生動物には、動物や人間などに衝撃を与えることができるほど大きい電流（衝撃電流）が流れる。
これによって、野生動物は衝撃を受けて撃退される。
【０００５】
このように電気柵は田畑の周囲に設置されるものであり、田畑は土壌に形成されるものであるから、雑草も生長する。そして、生長した雑草が柵線に触れると、雑草に衝撃電流が流れ、衝撃電流が地中に漏れてしまう。
【０００６】
そして、衝撃電流が地中に漏れた状態でイノシシなどの野生動物が各柵線に触れても、衝撃電流が地中に漏れた分、衝撃電圧が低下しているのでイノシシなどの野生動物は退散せずに、電気柵で囲まれた田畑に侵入してしまう。
【０００７】
そこで、電気柵の柵線に、野生動物へ衝撃を与えることができるほど大きい衝撃電圧が印加されているかを測定する必要がある。
【０００８】
電気柵の柵線の電圧を測定する電圧測定器として、様々な電圧測定器が提案されている。
例えば特許文献１には、高電圧の印加された電線から放射される電磁波の受信部分であるアンテナと、受信した電磁波による誘電起電力を増幅する増幅回路と、増幅された電圧を測定する電圧測定回路と、得られた測定結果を表示する表示部とを備える電気柵用電圧測定器が記載されている。
【０００９】
また、特許文献１に記載の電圧測定器を用いた電圧の測定方法は、測定したい電気柵の電線である柵線に近づき、電圧測定器のアンテナを柵線の方向に向けるだけで電圧測定を行うという方法であり、柵線に沿って歩きながらでも柵線と電圧測定器の距離を約１ｍ以下に保っていれば、連続して簡単に電圧を測定することができる。
【先行技術文献】
【特許文献】
【００１０】
【特許文献１】特開２００５−０３０７７０号公報
【考案の概要】
【考案が解決しようとする課題】
【００１１】
しかしながら、特許文献１に記載の電気柵用電圧測定器で電圧を監視するためには、電気柵の柵線の近くにわざわざ作業者が行って柵線の電圧を測定することで監視しなければならず、作業者の負担が大きいという問題があった。
【００１２】
本考案は、以上の点に鑑みて創案されたものであり、電気柵の電線の電圧を遠隔で監視できる電気柵用電圧測定装置を提供することを目的とする。
【課題を解決するための手段】
【００１３】
上記の目的を達成するために、本考案の電気柵用電圧測定装置は、電気柵の電線に印加された電圧を測定可能な電圧測定部と、判定の基準となる電圧である基準電圧を設定可能な基準電圧設定部と、前記電圧測定部が前記電線に印加された電圧を測定して得られた測定電圧と、前記基準電圧設定部が設定した前記基準電圧とを対比可能な電圧対比部と、該電圧対比部が対比した結果、前記測定電圧が基準電圧以下となった回数である基準以下回数及び同測定電圧が基準電圧を超えた回数である基準超過回数を計測可能な回数計測部と、該回数計測部が計測した前記基準以下回数が所定の回数連続した場合に、前記電線に印加された電圧が異常な状態であると判定可能であり、かつ、同回数計測部が計測した前記基準超過回数が所定の回数連続した場合に前記電線に印加された電圧が正常な状態であると判定可能な判定部と、該判定部が、前記電線に印加された電圧が異常な状態であると判定した結果である異常判定結果または、同判定部が、同電線に印加された電圧が正常な状態であると判定した結果である正常判定結果を送信可能な判定結果送信部とを備える。
【００１４】
ここで、判定の基準となる電圧である基準電圧を設定可能な基準電圧設定部によって、電線に印加された電圧が正常な状態であるか異常な状態であるかの判定の基準となる電圧を適宜設定することができる。
【００１５】
また、回数計測部が計測した基準以下回数が所定の回数連続した場合に、電線に印加された電圧が異常な状態であると判定可能であり、かつ、回数計測部が計測した基準超過回数が所定の回数連続した場合に電線に印加された電圧が正常な状態であると判定可能な判定部によって、電線に印加された電圧が正常な状態であるか異常な状態であるかを判定することができる。
【００１６】
また、判定部が、電線に印加された電圧が異常な状態であると判定した結果である異常判定結果及び、判定部が、電線に印加された電圧が正常な状態であると判定した結果である正常判定結果を送信可能な判定結果送信部によって、電気柵用電圧測定装置から外部の端末などへ判定結果を送信するので、電気柵の管理者などが電気柵の電圧の状況を外部の端末などで把握できる。
【００１７】
また、本考案の電気柵用電圧測定装置は、判定部が、電線に印加された電圧が異常な状態であると判定した場合に電線に印加された電圧が異常な状態であることを告知可能な異常告知部を備える構成とすることができる。
【００１８】
この場合、電気柵用電圧測定装置の近くにいる人が、その場で、電線に印加された電圧が異常な状態であることを把握することができる。
【００１９】
また、本考案の電気柵用電圧測定装置は、測定電圧を表示可能な測定電圧表示部を備え、基準電圧設定部は、設定した基準電圧を表示可能である構成とすることができる。
【００２０】
この場合、電気柵用電圧測定装置の近くにいる人が、その場で、電線に実際に印加されている電圧と、判定の基準となる基準電圧とを把握することができる。
【００２１】
また、本考案の電気柵用電圧測定装置は、電圧測定部と通電可能に接続されており、かつ、平面形状を有しており、かつ、一方の面と一方の面に対向する他方の面との間を貫通した貫通孔が形成されたアース部を備える構成とすることができる。
【００２２】
この場合、アース部の貫通孔に杭などを挿通してアース部は地表に接した状態で固定されるので、電線に印加された電圧と、同じく地表を歩く害獣に印加される電圧とを同程度とすることができる。
【００２３】
また、本考案の電気柵用電圧測定装置は、所定の時間毎に、判定部の判定結果の送信要求を受信可能な判定結果送信要求受信部を備え、判定結果送信部は、判定結果送信要求受信部が判定結果の送信要求を受信した場合に、異常判定結果または正常判定結果を送信可能である構成とすることができる。
【００２４】
この場合、判定結果が出る毎に判定結果を送信する場合に比べて、電力消費を抑えることができる。
【考案の効果】
【００２５】
本考案に係る電気柵用電圧測定装置によって、電気柵の電線の電圧を遠隔で監視できる。
【図面の簡単な説明】
【００２６】
【図１】本考案を適用した電気柵用電圧測定装置の一例を示す概略図である。
【図２】本考案を適用した電気柵用電圧測定装置が電気柵に接続された態様の一例を示す概略図である。
【図３】本考案を適用した電気柵用電圧測定装置が備えるアース板とアース板を留める杭の一例を示す概略図である。
【図４】本考案を適用した電気柵用電圧測定装置を用いて広範囲の柵線の電圧を監視する態様の一例を示す概略図である。
【考案を実施するための形態】
【００２７】
以下、本考案の実施の形態について図面を参照しながら説明し、本考案の理解に供する。
図１は、本考案を適用した電気柵用電圧測定装置の一例を示す概略図である。また、図２は、本考案を適用した電気柵用電圧測定装置が電気柵に接続された態様の一例を示す概略図である。また、図３は、本考案を適用した電気柵用電圧測定装置が備えるアース板とアース板を留める杭の一例を示す概略図である。
【００２８】
図１に示す本考案の電気柵用電圧測定装置１は、本体１Ａを備える。
また、図２に示すように本考案の電気柵用電圧測定装置１は、一般的な電気柵の柵線２０に導電性を有する接続線１２を介して通電可能に接続されている。
【００２９】
図２に示すように、電気柵は、田畑の周囲に打設された支柱１９と、支柱１９に取付けられた碍子２１に係止されて張設された複数の柵線２０と、柵線２０に電圧を印加可能な電気柵用電源装置１４とを備える。
ここで、複数の柵線２０は並列配置されており、裸電線からなる上下結線２２で互いに結線されている。
【００３０】
また、本考案の電気柵用電圧測定装置１を用いた電圧測定方法においては、図２に示すように、本考案の電気柵用電圧測定装置１と通信可能な親機１３と、親機１３と通信可能なサーバ１８も使用する。
【００３１】
また、電気柵用電源装置１４は出力線１５を介して通電可能に柵線２０と接続されている。また、電気柵用電源装置１４はアース線１６を介して地面２３と接地されている。このとき、アース線１６の一端に取付けられたアース棒１７が地中に埋められている。
【００３２】
また、本考案の電気柵用電圧測定装置１は、電気柵の柵線２０に印加された電圧を測定可能な電圧測定部２を備える。
【００３３】
また、本考案の電気柵用電圧測定装置１は、判定の基準となる電圧である基準電圧を設定可能な基準電圧設定部３を備える。
また、基準電圧設定部３は、基準電圧を設定及び変更可能なツマミ部３Ａを有する。
【００３４】
また、図１に示すように、ツマミ部３Ａは本体１Ａの外側面に取付けられており、ツマミ部３Ａの周囲に位置する本体１Ａの外側面領域には、基準電圧の数値が印字されている。
また、ツマミ部３Ａの表面には直線が印字されており、この直線が指し示す印字された数値が、基準電圧設定部３が設定した基準電圧である。
このように、基準電圧設定部３は、設定した基準電圧を表示可能な構成となっている。
【００３５】
また、本考案の電気柵用電圧測定装置１は、電圧対比部４を備える。
ここで電圧対比部４は、電圧測定部２が柵線２０に印加された電圧を測定して得られた測定電圧と、基準電圧設定部３が設定した基準電圧とを対比可能である。
【００３６】
また、本考案の電気柵用電圧測定装置１は、回数計測部５を備える。
ここで回数計測部５は、電圧対比部４が対比した結果、測定電圧が基準電圧以下となった回数である基準以下回数及び測定電圧が基準電圧を超えた回数である基準超過回数を計測可能である。
【００３７】
また、本考案の電気柵用電圧測定装置１は、判定部６を備える。
ここで判定部６は、回数計測部５が計測した基準以下回数が所定の回数例えば１０回連続した場合に、柵線２０に印加された電圧が異常な状態であると判定可能であり、かつ、回数計測部５が計測した基準超過回数が所定の回数例えば１５回連続した場合に柵線２０に印加された電圧が正常な状態であると判定可能である。
また、判定部６の所定の回数を適宜変更できることは勿論である。
【００３８】
また、本考案の電気柵用電圧測定装置１は、判定結果送信部７を備える。
ここで判定結果送信部７は、判定部６が、柵線２０に印加された電圧が異常な状態であると判定した結果である異常判定結果または、判定部６が、柵線２０に印加された電圧が正常な状態であると判定した結果である正常判定結果を、通信アンテナ７Ａを介して送信可能である。
また、判定結果送信部７は、測定電圧を、通信アンテナ７Ａを介して送信可能である。
【００３９】
また、判定結果送信部７は、異常判定結果または正常判定結果、並びに測定電圧を、親機１３へ送信可能である。
また、親機１３は、受信した異常判定結果または正常判定結果、並びに測定電圧を、サーバ１８へ送信可能である。
【００４０】
また、本考案の電気柵用電圧測定装置１は、点検ランプ８を備える。
ここで点検ランプ８は、判定部６が、柵線２０に印加された電圧が異常な状態であると判定した場合に柵線２０に印加された電圧が異常な状態であることを点滅によって告知可能である。
また、点検ランプは異常告知部の一例である。
【００４１】
また、本考案の電気柵用電圧測定装置１は、測定電圧を表示可能な測定電圧表示部９を備える。
ここで、測定電圧表示部９は具体的には例えば液晶表示パネルである。
【００４２】
また、電圧測定部２と、ツマミ部３Ａ以外の基準電圧設定部３と、電圧対比部４と、回数計測部５と、判定部６と、判定結果送信部７と、判定結果送信要求受信部１１は、本体１Ａに内蔵されている。
【００４３】
また、本考案の電気柵用電圧測定装置１は、アース部１０を備える。
ここでアース部１０は、アース線１０Ａとアース板１０Ｂとを有する。
また、アース板１０Ｂはアース線１０Ａを介して電圧測定部２と通電可能に接続されている。
【００４４】
また、アース板１０Ｂは、図３に示すように、平面形状を有する平板１０１Ｂと、平板１０１Ｂに取付けられていると共に平板１０１Ｂに対して略直交する方向に延びた接続板１０２Ｂとで構成されている。
また、平板１０１Ｂと接続板１０２Ｂは導電性を有する。
また、アース線１０Ａは接続板１０２Ｂに通電可能に接続されている。
【００４５】
また、平板１０１Ｂの略中央領域には、図３に示すように一方の面とこの一方の面に対向する他方の面との間を貫通した貫通孔１０３Ｂが形成されている。
【００４６】
また、貫通孔１０３Ｂには、図３に示すように杭２４が挿通される。
ここで、杭２４は杭本体２４Ａを有する。また、杭本体２４Ａは長手方向を有し、長手方向に対して略直交する方向における杭本体２４Ａの断面形状は略円形である。
また、杭本体２４Ａの一端は、長手方向に対して略直交する方向における断面の径が先端へ近づくにつれて徐々に短くなったテーパ状の尖部２４Ｂである。
【００４７】
また、尖部２４Ｂである杭本体２４Ａの一端とは反対側の他端には、杭本体２４Ａの長手方向に対して略直交する方向における断面の径よりも長い径を有する略円形のフランジ部２４Ｃが取付けられている。
また、杭２４は、杭本体２４Ａの長手方向に対して略直交する方向と同じ方向へ杭本体２４Ａから突出した突出部２４Ｄを有する。
【００４８】
また、突出部２４Ｄは、杭本体２４Ａの長手方向と同じ方向に延びており、かつ、フランジ部２４Ｃから離れるにつれて突出高さが徐々に短くなっている。
また、フランジ部２４Ｃの径は、アース板１０Ｂの平板１０１Ｂに形成された貫通孔１０３Ｂの径よりも大きい。
【００４９】
また、本考案の電気柵用電圧測定装置１は、判定結果送信要求受信部１１を備える。
ここで判定結果送信要求受信部１１は、所定の時間毎例えば１時間毎に、判定部６の判定結果の送信要求を親機１３から受信可能である。
また、親機１３において所定の時間を設定できることは勿論である。
【００５０】
また、判定結果送信部７は、判定結果送信要求受信部１１が判定結果の送信要求を受信した場合に、異常判定結果または正常判定結果を親機１３へ送信可能である。
【００５１】
すなわち、判定結果送信部７と判定結果送信要求受信部１１は、親機１３に対応する子機として機能するが、これに限定されるものではない。
【００５２】
また、本考案の電気柵用電圧測定装置は、必ずしも点検ランプすなわち異常告知部を備えていなくてもよい。
しかし、本考案の電気柵用電圧測定装置が異常告知部を備えていれば、電気柵用電圧測定装置の近くにいる人が、その場で、柵線すなわち電線に印加された電圧が異常な状態であることを把握することができるので好ましい。
【００５３】
また、電線に印加された電圧が異常な状態であることを告知可能であれば、必ずしも点検ランプのように点滅によって告知しなくてもよく、例えば音声や振動によって告知することもできる。
【００５４】
また、本考案の電気柵用電圧測定装置は、必ずしも測定電圧表示部を備えていなくてもよい。
しかし、本考案の電気柵用電圧測定装置が測定電圧表示部を備えていれば、電気柵用電圧測定装置の近くにいる人例えば作業者が、その場で、電線に実際に印加されている電圧を把握することができるので好ましい。
【００５５】
また、アース部は、必ずしも平面形状を有していなくてもよく、また、必ずしも貫通孔が形成されていなくてもよい。
しかし、アース部が平面形状を有し、貫通孔が形成されていれば、アース部の貫通孔に杭などを挿通してアース部は地表に接した状態で固定されるので、電線に印加された電圧と、同じく地表を歩く害獣に印加される電圧とを同程度とすることができ、好ましい。
【００５６】
また、本考案の電気柵用電圧測定装置は、必ずしも判定結果送信要求受信部を備えていなくてもよい。
しかし、本考案の電気柵用電圧測定装置が判定結果送信要求受信部を備えていれば、判定結果が出る毎に判定結果を送信する場合に比べて、電力消費を抑えることができるので好ましい。
【００５７】
また、必ずしも本体の外側面に印字された数値で基準電圧を表示しなくてもよく、例えば液晶表示パネルで基準電圧を表示することもできる。
【００５８】
また、必ずしもツマミ部でなくてもよく、ボタンによって基準電圧を設定及び変更することもできる。
【００５９】
また、判定結果送信部は、必ずしも異常判定結果及び正常判定結果を親機へ送信しなくてもよく、サーバへ直接、送信するようにしてもよい。
【００６０】
また、判定結果送信要求受信部は、必ずしも判定結果の送信要求を親機から受信しなくてもよく、サーバから受信してもよい。
【００６１】
次に、本考案の電気柵用電圧測定装置の使用方法の一例を説明する。
図２に示すように、本考案の電気柵用電圧測定装置１を、電気柵の柵線２０に接続線１２を介して通電可能に接続する。
【００６２】
また、本考案の電気柵用電圧測定装置１が備えるアース部１０のアース板１０Ｂを地面２３に置く。
そして、アース板１０Ｂの平板１０１Ｂに形成された貫通孔１０３Ｂに杭２４を挿通して、アース板１０Ｂを地表に固定する。
【００６３】
次に、ツマミ部３Ａを用いて基準電圧を設定する。
【００６４】
また、柵線２０には電気柵用電源装置１４から高電圧のパルス状電圧が約１秒毎に印加されており、本考案の電気柵用電圧測定装置１の電圧測定部２が、約１秒毎にパルス状電圧を測定する。
【００６５】
そして、本考案の電気柵用電圧測定装置１の電圧対比部４が、電圧測定部２が柵線２０に印加されたパルス状電圧を測定して得られた測定電圧と、設定された基準電圧とを、電圧測定部２がパルス状電圧を測定する毎に対比する。
【００６６】
また、本考案の電気柵用電圧測定装置１の回数計測部５が、基準以下回数及び基準超過回数を計測する。
【００６７】
また、回数計測部５が計測した基準以下回数が１０回連続した場合、判定部６は柵線２０に印加されたパルス状電圧が異常な状態であると判定する。
また、回数計測部５が計測した基準超過回数が１５回連続した場合、柵線２０に印加されたパルス状電圧が正常な状態であると判定する。
【００６８】
柵線２０の電圧測定を開始した時、本考案の電気柵用電圧測定装置１は「正常モード」であり、例えば基準電圧が５０００Ｖであり、電圧対比部４が基準電圧と測定電圧を対比した結果、測定電圧が８回連続で５０００Ｖ以下であり、９回目の対比の結果、測定電圧が５０００Ｖを超えていたときには、基準以下回数は１０回連続ではなく８回連続ということであるから、回数計測部５の計測はリセットされ、再び測定電圧が５０００Ｖ以下であっても、回数計測部５は基準以下回数として１回を計測する。
【００６９】
その後、電圧対比部４が基準電圧と測定電圧の対比を続けた結果、測定電圧が１０回連続で５０００Ｖ以下であり、基準以下回数が１０回連続となったので、判定部６は柵線２０に印加されたパルス状電圧が異常な状態であると判定する。
【００７０】
このとき、点検ランプ８が点滅し、柵線２０に印加されたパルス状電圧が異常な状態であることを告知する。
【００７１】
そして、本考案の電気柵用電圧測定装置１の判定結果送信部７が異常判定結果及び電圧測定部２が測定して得られた測定電圧を親機１３へ送信する。
また、親機１３は異常判定結果及び測定電圧をサーバ１８へ送信する。
【００７２】
異常判定結果が出た後は、本考案の電気柵用電圧測定装置１は「異常モード」となり、電圧対比部４が基準電圧と測定電圧を対比して測定電圧が依然として５０００Ｖ以下であっても回数計測部５は基準以下回数として計測しない。
【００７３】
異常判定結果と測定電圧を親機１３やサーバ１８が受信するので、電気柵の管理者は親機１３やサーバ１８を通して電気柵の電圧が異常な状態であることを把握し、確認のために電気柵が配置された現場へ向かう。
【００７４】
電気柵の現場に到着した作業者は、電圧低下を引き起こした要因例えば柵線２０に接触した雑草を刈り取るなどして、電圧を正常にするための作業を行う。
【００７５】
作業者が雑草を刈り取った後、電圧対比部４が基準電圧と測定電圧を対比した結果、測定電圧が６０００Ｖ以上である場合、基準電圧５０００Ｖを超えていると共に所定の値（この場合は６０００Ｖ）以上であるので、回数計測部５は基準超過回数として１回を計測する。
【００７６】
さらに例えば測定電圧が１３回連続で６０００Ｖ以上であったが、１４回目の対比の結果、測定電圧が５０００Ｖを超えているものの所定の値（この場合は６０００Ｖ）未満である場合、回数計測部５は基準超過回数として計測しないよう設定されており、回数計測部５の計測はリセットされる。
すなわち、本考案の電気柵用電圧測定装置１が「異常モード」であるときには、回数計測部５は、測定電圧が基準電圧を超えていると共に所定の値以上となった回数を基準超過回数として計測する構成となる。
【００７７】
そして再び測定電圧が６０００Ｖ以上である場合、回数計測部５は基準超過回数として１回を計測する。
その後、電圧対比部４が基準電圧と測定電圧の対比を続けた結果、測定電圧が１５回連続で６０００Ｖ以上であり、基準超過回数が１５回連続となったので、判定部６は柵線２０に印加されたパルス状電圧が正常な状態であると判定する。
【００７８】
そして、本考案の電気柵用電圧測定装置１の判定結果送信部７が正常判定結果及び電圧測定部２が測定して得られた測定電圧を親機１３へ送信する。
また、親機１３は正常判定結果及び測定電圧をサーバ１８へ送信する。
【００７９】
正常判定結果が出た後は、本考案の電気柵用電圧測定装置１は「正常モード」となり、電圧対比部４が基準電圧と測定電圧を対比して測定電圧が依然として６０００Ｖ以上であっても回数計測部５は基準超過回数として計測しない。
【００８０】
なお、ここでは判定結果が出る毎に判定結果送信部７が、異常または正常の判定結果を親機１３へ送信する態様を説明しているが、必ずしも判定結果が出る毎に判定結果を送信しなくてもよい。
【００８１】
例えば判定結果送信部７は、本考案の電気柵用電圧測定装置１の判定結果送信要求受信部１１が判定結果の送信要求を受信した場合に、異常判定結果または正常判定結果を親機１３へ送信することもできる。
このとき、判定結果送信要求受信部１１は所定の時間例えば１時間毎に、判定部６の判定結果の送信要求を親機１３から受信する。
通信時には電力を消費するので、このように例えば１時間毎に判定結果を送信するようにすれば、判定結果が出る毎に判定結果を送信する場合に比べて電力消費を抑えることができる。
【００８２】
また、親機１３は、本考案の電気柵用電圧測定装置１から受信した、測定電圧や判定結果をサーバ１８へ送信する。
そして、サーバ１８は測定電圧や判定結果をデータベースに記録する。
【００８３】
図４は、本考案を適用した電気柵用電圧測定装置を用いて広範囲の柵線の電圧を監視する態様の一例を示す概略図である。
図４に示すように広い面積を有する圃場２５の周囲に支柱１９が打設されており、支柱１９の碍子に係止されて柵線２０が張設されている。図４は平面図であるから図示されていないが、通常の電気柵と同様に複数の柵線２０が並列配置されている。
【００８４】
また、電気柵用電源装置１４が柵線２０と通電可能に接続されており、電気柵用電源装置１４は、柵線２０に高電圧のパルス状電圧を印加する。
また、広い面積を有する圃場２５を囲む電気柵であるから、図４に示すように柵線２０を、第１区域Ａと、第２区域Ｂと、第３区域Ｃの３つの区域に分けて各区域の柵線２０に電気柵用電源装置１４が通電可能に接続されている。
【００８５】
また、第１区域Ａの柵線２０の端部が係止された支柱１９と第２区域Ｂの柵線２０の端部が係止された支柱１９は、互いに約５ｃｍ離れて打設されている。お互いが電圧の影響を避けるためである。
また同様に、第１区域Ａの柵線２０の端部が係止された支柱１９と第３区域Ｃの柵線２０の端部が係止された支柱１９も、互いに約５ｃｍ離れて打設されており、第２区域Ｂの柵線２０の端部が係止された支柱１９と第３区域Ｃの柵線２０の端部が係止された支柱１９も、互いに約５ｃｍ離されて打設されている。
【００８６】
また、図４に示すように本考案の電気柵用電圧測定装置１も、第１−３区域（Ａ−Ｃ）の柵線２０それぞれに通電可能に接続されている。
この場合、本考案の電気柵用電圧測定装置１には区域毎に識別子（ＩＤ）が付与されており、各区域の電気柵用電圧測定装置１の判定結果送信部７は、判定結果と共に、測定電圧及び付与された識別子（ＩＤ）も親機１３へ送信する。
【００８７】
その結果、広範囲の柵線において、どの区域の柵線の電圧が異常であるか、あるいは正常であるかということを監視することができる。
【００８８】
以上のように、本考案の電気柵用電圧測定装置は基準電圧設定部を備えているので、柵線すなわち電線に印加された電圧が正常な状態であるか異常な状態であるかの判定の基準となる電圧を適宜設定することができる。
【００８９】
また、本考案の電気柵用電圧測定装置は判定部を備えているので、電線に印加された電圧が正常な状態であるか異常な状態であるかを判定することができる。
【００９０】
また、本考案の電気柵用電圧測定装置は判定結果送信部を備えているので、電気柵用電圧測定装置から外部の端末例えば親機やサーバへ判定結果を送信して、電気柵の管理者などが電気柵の電圧の状況を端末例えば親機やサーバで把握できる。
【００９１】
従って、本考案の電気柵用電圧測定装置によって、電気柵の電線の電圧を遠隔で監視できる。
【符号の説明】
【００９２】
１      電気柵用電圧測定装置
１Ａ    本体
２      電圧測定部
３      基準電圧設定部
３Ａ    ツマミ部
４      電圧対比部
５      回数計測部
６      判定部
７      判定結果送信部
７Ａ    通信アンテナ
８      点検ランプ
９      測定電圧表示部
１０      アース部
１０Ａ    アース線
１０Ｂ    アース板
１０１Ｂ  平板
１０２Ｂ  接続板
１０３Ｂ  貫通孔
１１      判定結果送信要求受信部
１２      接続線
１３      親機
１４      電気柵用電源装置
１５      出力線
１６      アース線
１７      アース棒
１８      サーバ
１９      支柱
２０      柵線
２１      碍子
２２      上下結線
２３      地面
２４      杭
２４Ａ    杭本体
２４Ｂ    尖部
２４Ｃ    フランジ部
２４Ｄ    突出部
２５      圃場
Ａ      第１区域
Ｂ      第２区域
Ｃ      第３区域
【図１】
0003218911.tif 000003
【図２】
0003218911.tif 000004
【図３】
0003218911.tif 000005
【図４】
0003218911.tif 000006